(57)【要約】      （修正有）【課題】  従来のような携帯用小銭入れでは、硬貨がばらばらで煩わしく払い出しが遅くなる。それを解決すること。【解決手段】  この課題を解決するため本発明は、図４の断面図で示すように、硬貨出し入れ口２、または、５から硬貨を押し入れる度にスプリング上部品１１が押し下げられ、反対に硬貨を上から引き出す度にスプリング１０の力で下から上に硬貨が押上げられ、簡単に指で連続して引き出せる。また、各種硬貨穴を縦横に並べ見やすく、しかも、４枚重ねで収納でき１円単位で払い出せるものである。【選択図】図４
2006239350.tif 000002
【特許請求の範囲】
【請求項１】
硬貨穴を縦横に並べることで薄型にして、穴の中にスプリングを入れ込み、硬貨を指で押し出す度にスプリングの力で下から上に硬貨が押し上げられ、上から順に硬貨を簡単に指で押し出せるもの、このようにスプリングを利用した薄型携帯用小銭入れ。
【請求項２】
薄型携帯用小銭入れの裏側にカード入れを取り付けた、カード入れ付き小銭入れ。
【発明の詳細な説明】
【発明の詳細な説明】
【発明に属する技術分野】
【０００１】本発明は、スプリングを利用した薄型携帯用小銭入れで、表側には各種の硬貨が入る大きさの違う穴が縦横並び、穴の並びは次のように、
左側上から右へ１００円・５０円・１０円・５円・１円と並び、
左側下からは右へ１円・５円・１０円・５０円・１００円と並んで穴には各４枚重ねの硬貨が入って、見やすく、縦横に並べることで薄型に出来、また、硬貨は上の本体と下の部品（スプリングの付いた部品）の間に入り、硬貨出し入口から指で押し入れる度に部品が下がり、反対に硬貨を押し出す度にスプリングの力で硬貨を下から上に押し上げられ、上から順に簡単に指で出し入口に押し出せるものである。また、裏側には左右の取り出し口の付いたカード入れがあり、左側カード入れ外側と、右側カード入れ内側を張り合わせ接着して、左側カード入れ内側と、小銭入れの裏側とを、はめ込み接着で取り付けたもので、裏側カード入れには、左右に楕円形の穴があり、穴から指で出し入口に押し出せるもの、このようにして、携帯用小銭入れにカード入れを取り付けたものである。
【背景技術】
【０００２】従来は財布や手提げカバンの中で、小銭はばらばらであった、円筒型のものが特許公開されているが、商品として小銭入れで財布以外は見かけたことが無い。【０００３】
【特許文献１】        特開２００４−３５１１８１号公報  （第３図）
【発明を実施するための最良の形態】
【０００４】    本発明は、バッグやポケットに入れて持ち歩き便利のように、コンパクトにした理想的な携帯用小銭入れで、表側には各種の硬貨が入る穴があり、それを図面で説明すれば、穴の並びは、次のように並び、左側上から右へ硬貨穴９・８・７・６・５と並び左側下から右へ反対に硬貨穴５・６・７・８・９と並び、見やすく、薄型に出来て、また、穴の中にはスプリング１４の上に部品１３が入って、下の部品１３と、本体１の間に硬貨を入れ、入れる度に部品１３が下に下がり、反対に硬貨を出す度にスプリングの力で下から上に硬貨が押し上げられて、本体上２から指で順に硬貨を出し入口１２へ簡単に押し出せるもので、さらに利用価値高める為に、裏側には左右取り出し口２０の付いたカード入れを取り付けたものである。
【発明効果】
前以て硬貨やカードを入れて置くことで、買い物先や支払い先、又は、お客様に待たせる時間を短縮出来て、しかも、持ち歩き便利な理想的デザインのカード入れ付き携帯用小銭入れとして、利用価値の高いものにした。
【図面の簡単な説明】
【図１】  図面は全てＡ４判の実物大である。表側の平面図である。
【図２】  裏側の底面図である。
【図３】  硬貨出し入り口の正面図である。
【図４】  硬貨穴の断面図（Ａ−Ｂ）である。
【図５】  分解平面図本体上である。
【図６】  分解正面図本体上である。
【図７】  分解平面図本体中である。
【図８】  分解正面図本体中と、部品、スプリングである。
【図９】  分解下面図本体中である。
【図１０】  分解下面図左カード入れである。
【図１１】  分解正面図左カード入れである。
【図１２】  分解下面図右カード入れである。
【図１３】  分解正面図右カード入れである。
【符号の説明】
１    本体表側（上の部分）
２    本体表側の穴（指で押し込み硬貨を出し入れするときに操作る穴）
３    ３ミリの穴
４    本体中の表側
５    １円硬貨の入る穴
６    ５円硬貨の入る穴
７    １０円硬貨の入る穴
８    ５０円硬貨の入る穴
９    １００円硬貨の入る穴
１０  本体中の裏側
１１  本体中の裏側の凹
１２  本体中の硬貨出し入り口
１３  部品
１４  スプリング
１５  カード入れ中の凸
１６  左側カード入れ中の外側
１７  左側カード入れ中の内側
１８  右側カード入れ外の外側（薄い所）
１９  右側カード入れ外の内側
２０  カード左右出し入れ口
２１  カード入れ左右楕円形穴
２２  カード左止め（左から入って来るカードを止める位置）
２３  カード右止め外側（厚い所）
２４  １円硬貨の４枚入っている状態
【図１】
2006239350.tif 000003
【図２】
2006239350.tif 000004
【図３】
2006239350.tif 000005
【図４】
2006239350.tif 000006
【図９】
2006239350.tif 000007
【図１０】
2006239350.tif 000008
【図１１】
2006239350.tif 000009
【図１２】
2006239350.tif 000010
【図１３】
2006239350.tif 000011
【図５】
2006239350.tif 000012
【図６】
2006239350.tif 000013
【図７】
2006239350.tif 000014
【図８】
2006239350.tif 000015
【手続補正書】
【提出日】平成18年2月6日(2006.2.6)
【手続補正１】
【補正対象書類名】特許請求の範囲
【補正対象項目名】全文
【補正方法】変更
【補正の内容】
【特許請求の範囲】
【請求項１】
硬貨穴の底にスプリングと部品を入れたもので、硬貨出し入れ口から硬貨を指で押し入れる度にスプリングの上部品が押し下げられ、反対に硬貨を上から引き出す度にスプリングの力で下から上に硬貨が押し上げられる。このようにスプリングを利用した携帯用小銭入れ。
【手続補正２】
【補正対象書類名】明細書
【補正対象項目名】全文
【補正方法】変更
【補正の内容】
【発明の詳細な説明】
【技術分野】
【０００１】本発明は、スプリングを利用した薄型携帯用小銭入れで、表側には各種の硬貨が入る大きさの違う穴が縦横に並び、硬貨穴の底にスプリングと部品を入れたもので、硬貨出し入れ口から硬貨を指で押し入れる度にスプリングの上部品が押し下げられ、反対に硬貨を上から引き出す度にスプリングの力で下から上に硬貨が押し上げられる。このようにスプリングを利用して、硬貨の引き出しを簡単にしたものである。
【背景技術】
【０００２】従来から、小銭入れとして革製品や布製品で様々なものが多く出回っている。また、特許文献１や、特許文献２など公開されているものもある。
【特許文献１】特開２００５−１６９０３７号公報
【特許文献２】特開２００４−３５１１８１号公報
【発明の開示】
【発明が解決しようとする課題】
【０００３】従来のような携帯用小銭入れでは、硬貨がばらばらで払い出しが遅くなる。それを解決することを課題とする。
【課題を解決しようとする手段】
【０００４】この課題を解決するため本発明は、各種硬貨穴を縦横に並べ４枚重ねで、しかも、見やすく、収納できるようにしたもので、また、硬貨出し入れ口から硬貨を引き出す度にスプリングの力で下から上に硬貨が押し上げられて、上から硬貨を指先で簡単に連続して引き出せるのが特徴の携帯用小銭いれ。
【発明の効果】
【０００５】本発明により、買い物先のレジなどで、待たせる時間を短縮でき、しかも、１円単位で簡単に払い出しが出来るものであり、また、身体障害者でも片手の指で操作さい出来れば誰でも利用出来るものである。
【発明を実施するための最良の形態】
【０００６】図１は、表側平面図で各種の硬貨穴が図のように並び、１・２・３・４・５・６は硬貨出し入れ口である。また、硬貨穴に硬貨を４枚重ねで収納でき、１円単位で引き出せるものである。【０００７】図４は、断面図で、硬貨出し入れ口２、または、５から硬貨を押し入れる度にスプリング上部品１１が押し下げられ、反対に硬貨を上から引き出す度にスプリング１０の力で下から上に硬貨が押し上げられ、簡単に連続して硬貨を指で引き出せる携帯用小銭入れ。
【産業上の利用可能性】
【０００８】  本発明に係る小銭入れは、工業的に量産する事が可能であるため、産業上の利用可能性を有する。
【図面の簡単な説明】
【０００９】
【図１】    表側の平面図である。
【図２】    裏側の平面図である。
【図３】    正面図である。
【図４】    ＡからＢの断面図である。
【符号の説明】
【００１０】    １    ５００円硬貨出し入れ口
２    １００円硬貨出し入れ口
３    ５０円硬貨出し入れ口
４    １０円硬貨出し入れ口
５    ５円硬貨出し入れ口
６    １円硬貨出し入れ口
７    １０円硬貨穴
８    ５円硬貨穴
９    １円硬貨穴
１０  スプリング
１１  スプリングの上部品
【手続補正３】
【補正対象書類名】図面
【補正対象項目名】全図
【補正方法】変更
【補正の内容】
【図１】
2006239350.tif 000016
【図２】
2006239350.tif 000017
【図３】
2006239350.tif 000018
【図４】
2006239350.tif 000019